(57)【特許請求の範囲】
【請求項１】
什器の上面を形成する天板と、
前記天板を支持する複数の支持体と、
前記天板の下方において、二つの前記支持体間に設けられ、前記支持体間の空間の少なくとも一部を閉塞する閉塞部材と、
前記天板の端部と前記閉塞部材の上方位置との間の空間を覆う上方カバー部材と、
前記閉塞部材が連続する方向に沿って設けられ、前記閉塞部材の上端部と前記閉塞部材の上方に配置された前記上方カバー部材との隙間を閉塞するカバー部材と、を備え、
前記カバー部材は、
前記閉塞部材の上端部に係止される係止部と、
前記閉塞部材によって区画される一方の側と他方の側とで配線を通す通線部と、を備え、
前記天板の端部は、前記什器を平面視したときに前記閉塞部材との間に開口を形成するように配置され、
前記上方カバー部材は、前記カバー部材に係合されたベース部材によって支持されていることを特徴とする什器。
【請求項２】
前記閉塞部材の上端部に、前記カバー部材の係止部が係止される被係止部が設けられていることを特徴とする請求項１に記載の什器。
【請求項３】
前記通線部は、前記隙間を閉塞しつつ通線される前記配線に応じて弾性変形可能な柔軟性の高い材料で形成されていることを特徴とする請求項１または２に記載の什器。
【請求項４】
前記閉塞部材の一方の側に設けられ、前記配線を収容する配線収容部材と、
前記カバー部材に形成され、前記配線収容部材が係止される配線収容部材被係止部と、をさらに備えることを特徴とする請求項１から３のいずれか一項に記載の什器。
【請求項５】
前記上方カバー部材が、前記空間を開閉可能に設けられていることを特徴とする請求項１から４のいずれか一項に記載の什器。
【発明の詳細な説明】
【技術分野】
【０００１】
本発明は、デスク装置等の什器に関する。
【背景技術】
【０００２】
オフィス等で使用されるデスク装置の構造としては、床面上に離間して立設された一対の支持体（支持脚、袖箱）と、これら支持体上に架設された天板と、天板の下方位置において左右の支持体間の空間を閉塞する幕板と、を備えて構成したものが一般的である。この構造によれば、簡潔な構造でありながら、デスク装置を強固に構成することができる。
【０００３】
デスク装置における使用者の使い勝手としては、天板上に電子機器や照明装置を設置する場合が多くなっている。こうした際に、前述の機器・装置からの配線をデスク装置内部に収納可能であれば、その体裁を良好なものとすることが出来ると共に、デスク周辺が配線で煩雑になることもなく使い勝手を良好とすることが出来る。
この点を考慮し、天板の後部に配線引き込み口を形成すると共に、デスク装置内部に配線処理部材を設けることによって、デスク装置内に配線を収容可能としたものも多い。
【０００４】
配線処理部材としては、天板後方上面に、デスク装置の幅方向に連続する凹溝を形成し、その上面に配線引き込み用の挿通孔を設けたカバー材で閉塞することによって形成するものがある（例えば、特許文献１、２参照。）。
【０００５】
また、天板の下面と幕板の上端面との間に隙間を形成しておき、この隙間を利用してデスク内に配線を引き込み、幕板前面に配線受け部を設ける構成も多く見られる（例えば、特許文献３〜６参照。）。
【先行技術文献】
【特許文献】
【０００６】
【特許文献１】特開２０００−２９５７４７号公報
【特許文献２】特開２００４−３２９３３９号公報
【特許文献３】特開２０００−２１７６４１号公報
【特許文献４】実開平０３−１２７５４１号公報
【特許文献５】実開平０１−０８１９３０号公報
【特許文献６】実開平０１−１５４８３３号公報
【発明の概要】
【発明が解決しようとする課題】
【０００７】
しかしながら、上記したような従来の技術においては、以下に示すような問題が存在する。
まず、特許文献１、２に記載されたような構成では、天板の上面において自由に使用できるエリアが狭められてしまうとともに、天板上面の体裁が悪くなってしまう。また、使用者の使い勝手に合わせて機能を追加・削除することもできない。
【０００８】
一方、特許文献３〜６に記載されたような構成では、特許文献１、２における課題は解決できるものの、これらの構成では、幕板上部周辺に配線受け、隙間隠し部材を設けるだけでなく、それらを取り付けるためのブラケット等の取り付け部材を設ける必要があり、構造が複雑となるとともに部品点数が増え、高コスト化につながるという問題を有していた。
【０００９】
また、近年、デスク装置に限らず、収納キャビネット等の各種の什器においても、配線を引き込む構成を備えたものが増えており、上記問題はこれらの什器にも共通する。
【００１０】
本発明は、このような技術的課題に基づいてなされたもので、デスクの天板上の体裁及び使い勝手を良好とすることが出来ると共に、安価で簡易的な構造の什器を提供することを目的とする。
【課題を解決するための手段】
【００１１】
本発明は、上記課題を解決するため、以下の手段を採用する。
すなわち、本発明の什器は、什器の上面を形成する天板と、天板を支持する複数の支持体と、天板の下方において、二つの支持体間に設けられ、支持体間の空間の少なくとも一部を閉塞する閉塞部材と、天板の端部と閉塞部材の上方位置との間の空間を覆う上方カバー部材と、閉塞部材が連続する方向に沿って設けられ、閉塞部材の上端部と閉塞部材の上方に配置された上方カバー部材との隙間を閉塞するカバー部材と、を備える。そして、カバー部材は、閉塞部材の上端部に係止される係止部と、閉塞部材によって区画される一方の側と他方の側とで配線を通す通線部と、を備え、天板の端部は、什器を平面視したときに閉塞部材との間に開口を形成するように配置され、上方カバー部材は、カバー部材に係合されたベース部材によって支持されていることを特徴とする。
このような什器においては、閉塞部材の上端部と閉塞部材の上方に配置された他の部材との隙間を閉塞するカバー部材に、閉塞部材によって区画される一方の側と他方の側とで配線を通す通線部が設けられているため、閉塞部材の上端部と閉塞部材の上方に配置された他の部材との隙間を閉塞しつつ、閉塞部材によって区画される一方の側と他方の側とで配線を通すことができる。
カバー部材は、閉塞部材の上端部に係止するだけでよいので、その構造も簡易であり、部品点数を抑えることができる。また、このような通線部を通して配線を通すことで、天板上に配線を露出させることなく、配線を行うことができる。
【００１２】
カバー部材は、閉塞部材の上端部に直接係止させてもよいが、閉塞部材の上端部に被係止部が設けられている場合、被係止部にカバー部材の係止部を係止するようにしてもよい。
【００１３】
通線部は、隙間を閉塞しつつ通線される前記配線に応じて弾性変形可能な柔軟性の高い材料で形成するのが好ましい。このような通線部により、閉塞部材の上端部と閉塞部材の上方に配置された他の部材との隙間を閉塞しつつ、配線を通す部分では通線部を変形させることで、配線を容易に通すことができる。
【００１４】
また、このような什器は、閉塞部材の一方の側に、配線を収容する配線収容部材を備えることができる。配線収容部材を、閉塞部材に対し、什器の内側に設ければ、配線収容部材に配線を収容することで、配線を外部から見えないように設けることができる。
このような配線収容部材は、カバー部材に配線収容部材被係止部を設けることで、カバー部材に係止させることができる。
【００１５】
上記のようなカバー部材の閉塞部材に対する係止、配線収容部材のカバー部材への係止は、係止爪と突起や穴との係合を用いることで、カバー部材や配線収容部材をワンタッチで取り付けることが可能となる。
【００１６】
また、上方カバー部材は、前記の空間を開閉可能に設けられているものであってもよい。開閉可能な上方カバー部材とすることで、前記の配線収容部材への配線の収容、什器の内側における配線作業等を容易に行うことができる。
【発明の効果】
【００１７】
本発明によれば、閉塞部材の上端部と閉塞部材の上方に配置された他の部材との隙間を閉塞するカバー部材に、閉塞部材によって区画される一方の側と他方の側とで配線を通す通線部が設けられているため、閉塞部材の上端部とその上方の上部カバー部材等の他の部材との隙間を塞いで、配線等を什器の外部から目につかないように収容しつつ、必要に応じて、通線部から配線を什器の外部に引き出すことができる。これにより、配線を天板の上方に引き出すことなく、什器の周囲に配線を引き出すことができる。その結果、デスク天板上の体裁および使い勝手を良好な物とすることができる。そして、什器が設置される空間の美観を向上できる。また、カバー部材は、閉塞部材の上端部に係止するだけでよいので、取付のためのブラケット等が不要であるため、その構造も簡易で、部品点数も少なく、組立作業性にも優れ、低コストで什器を提供することができる。そして、カバー部材が不要な場合は、これを容易に取り外すことができる。
さらに、通線部を、係止部に対して柔軟性の高い材料で形成することで、配線を通す部分では通線部を変形させることで、配線を容易に通すことができる。
【図面の簡単な説明】
【００１８】
【図１】本実施形態におけるデスク装置を斜め前方から見た斜視図である。
【図２】本実施形態におけるデスク装置を斜め後方から見た斜視図である。
【図３】デスク装置に備えた配線収容部の構成を示す側断面図である。
【図４】配線収容部の要部を拡大した側断面図である。
【図５】デスク装置において、天板を装着していない状態を示す斜視図である。
【図６】回転カバー受け部材と回転カバーのホルダーを示す側面図である。
【図７】回転カバー受け部材を示す図であって、（ａ）は前方から見た側面図、（ｂ）は側方から見た側面図である。
【図８】回転カバー受け部材と回転カバーのホルダーを示す斜視図である。
【図９】回転カバー本体と回転カバー、上部フレキシブルカバーを示す側断面図である。
【図１０】回転カバー本体と回転カバー、上部フレキシブルカバーを示す斜視図である。
【図１１】回転カバー本体の裏側を示す図である。
【図１２】回転カバーを開いた状態を示す斜視図である。
【図１３】回転カバーの回転動作を示す側面図である。
【図１４】回転カバーを開閉している途中の状態を示す側断面図である。
【図１５】回転カバーを開いた状態を示す側断面図である。
【図１６】回転カバーを取り外す状態を示す側断面図である。
【発明を実施するための形態】
【００１９】
以下、添付図面を参照して、本発明を実施するための最良の形態を説明する。しかし、本発明はこれらの実施例のみに限定されるものではない。
【００２０】
図１、図２は、本実施形態におけるデスク装置１０の斜視図である。なお、以下の説明において、上方、下方、前方、後方といった方向は、デスク装置１０を床面上に設置して使用するときの状態に対応した方向としている。すなわち、デスク装置１０が設置される床面側を「下方」、その反対方向を「上方」、このデスク装置１０を使用するユーザがデスク装置１０に対向する側を「前方」、その反対側を「後方」または「背面側」と称する。
【００２１】
図１、図２に示すように、デスク装置１０は、デスク装置１０が設置される床面上に立ち上がる一対の支持体１１、１１と、これら支持体１１、１１によって、床面の上方の所定高さに支持された天板１２と、天板１２の下方位置において、両側の支持体１１、１１の間の空間を閉塞する幕板（閉塞部材）１３と、を備える。
【００２２】
ここで、支持体１１としては、様々な形状の支持脚や、引き出しを備えた袖箱等を採用できる。また、支持体１１は、二つに限られず、三つ以上備えていても良く、少なくともその内のいずれか二つの支持体１１間に幕板１３が設けられた構成であれば良い。
【００２３】
また、幕板１３は、天板１２の前後方向の中心よりも後方側に配置され、一般的には、天板１２の後端部１２ａ近傍の下方に配置される。この幕板１３は、床面近傍まで支持体１１、１１の間の空間全体を覆うように設けても良いし、支持体１１、１１の間に掛け渡されたバー（棒）状のものとすることもできる。図３に示すように、本実施形態のデスク装置１０において、幕板１３は、その上端部１３ａが、天板１２の下面１２ｂよりも、あらかじめ定められた所定寸法だけ下方に位置するよう設けられている。また、天板１２は、その後端部１２ａが、幕板１３よりも前方側にオフセットして位置するよう形成されている。
【００２４】
このようにして、デスク装置１０においては、幕板１３の上端部１３ａの上方であって、かつ、天板１２の後端部１２ａの後方位置に、空間Ｓが形成されている。この空間Ｓに、配線１００を収容する配線収容部２０が設けられている。
【００２５】
配線収容部２０は、背面カバー部材（カバー部材）３０と、配線トレー（配線収容部材）４０と、回転カバー受け部材５０と、回転カバー（他の部材、上方カバー部材）６０と、から構成されている。
【００２６】
図２に示すように、背面カバー部材３０は、幕板１３の上端部１３ａに沿って、デスク装置１０の幅方向に連続して設けられている。そして、図４に示すように、この背面カバー部材３０は、幕板１３の上端部１３ａに取り付けられている。背面カバー部材３０が取り付けられる幕板１３の上端部１３ａは、支持体１１、１１間において鉛直面内に位置する幕板本体１３ｂの上端から折曲してデスク装置１０の前方に受け延びる上部受け面１３ｃと、上部受け面１３ｃの前端側において折曲して下方に延びる垂直面１３ｄと、垂直面１３ｄの下端から後方に向けて延びる爪部１３ｅとからなる被係止部が一体に形成されている。
【００２７】
背面カバー部材３０は、上部受け面１３ｃおよび垂直面１３ｄに沿う断面略Ｌ字状のベース部３１と、ベース部３１の下端から爪部１３ｅに沿って延びる係止部３２と、ベース部３１から上方に向けて延びる背面フレキシブルカバー部（通線部）３３と、を有する。
【００２８】
係止部３２の先端部には、上部受け面１３ｃ側に突出する係止突起３４が形成されている。この係止突起３４は、爪部１３ｅの先端部に係合する。背面カバー部材３０は、ベース部３１および係止部３２が、上部受け面１３ｃおよび垂直面１３ｄ、爪部１３ｅに沿い、係止突起３４が爪部１３ｅに係合することで、幕板１３の上端部１３ａに対して固定されている。このようなベース部３１および係止部３２は、例えばＡＢＳ（Ａｃｒｙｌｏｎｉｔｒｉｌｅ  ｂｕｔａｄｉｅｎｅ  ｓｔｙｒｅｎｅ）等の硬質樹脂等により形成することができ、ベース部３１および係止部３２が弾性変形することで、幕板１３の上端部１３ａに対して着脱可能とされている。
【００２９】
係止部３２の下面には、下方に延びる垂下部３９が形成されている。垂下部３９は、略Ｓ字状に湾曲した湾曲部３９ａと、湾曲部３９ａの下端部から後方に向けて折曲して延びる係止爪（配線収容部材被係止部）３９ｂとを備える。
係止爪３９ｂの先端は、幕板１３の爪部１３ｅの先端の鉛直下方に位置するよう形成され、これによって、係止爪３９ｂの先端と幕板本体１３ｂとの間隔が、爪部１３ｅと幕板本体１３ｂとの間隔と同一寸法とされている。
【００３０】
背面フレキシブルカバー部３３は、上端部３３ａが、後に詳述する回転カバー６０の下面にほぼ突き当たるような位置に形成されている。また、背面フレキシブルカバー部３３の背面３３ｂは垂直面とされ、幕板１３の幕板本体１３ｂにほぼ連続する面内に位置するよう形成されている。
背面フレキシブルカバー部３３は、例えばＴＰＥ（Ｔｈｅｒｍｏｐｌａｓｔｉｃ−Ｅｌａｓｔｏｍｅｒ：熱可塑性エラストマー）ポリスチレン系樹脂等、ベース部３１を形成する材料よりも軟質な材料により形成されている。
【００３１】
このような背面カバー部材３０の背面フレキシブルカバー部３３により、幕板１３の上端部１３ａと回転カバー６０との隙間が閉塞されている。この背面フレキシブルカバー部３３により、その一方の側と他方の側、すなわちデスク装置１０の外方と内方とが区画されている。
ここで、背面フレキシブルカバー部３３は、ベース部３１を形成する材料よりも軟質な材料により形成されているので、背面フレキシブルカバー部３３を弾性変形させることで、背面フレキシブルカバー部３３の上端部３３ａと回転カバー６０との間に形成される隙間を通して、配線１００を、幕板１３の前後方向（幕板１３の一方の側と他方の側とを結ぶ方向）に通すことができる。
このような背面カバー部材３０は、幕板１３の上端部１３ａに沿ってデスク装置１０の幅方向に沿って連続して設けられているため、幕板１３の上端部１３ａの任意の位置において配線１００を通すことができる。
【００３２】
図３、図５に示すように、配線トレー４０は、幕板１３に沿って配置される背面板４１と、背面板４１の下端部に形成され、幕板１３の前方側において各種の配線１００を収容・保持するトレー部４２と、背面板４１の上端部に設けられ、上記のような背面カバー部材３０に係止される係止部４３と、を備えている。配線トレー４０は、幕板１３よりも幅（支持体１１，１１を結ぶ方向の長さ）を小さくしてもよく、本実施形態では、配線トレー４０を二つ連続して並べて設けている。
【００３３】
トレー部４２は、背面板４１の下端部から前方に延びる底板部４２ａと、底板部４２ａの前端部から上方に立ち上がる立ち上がり壁４２ｂと、を有した断面Ｌ字状とされている。配線１００は、トレー部４２の底板部４２ａおよび立ち上がり壁４２ｂと、背面板４１とに囲まれた空間内に収容される。
【００３４】
図４に示したように、係止部４３は、背面板４１の上端部から前方に延びる基部４３ａと、基部４３ａの前端から下方に湾曲して垂下する弾性変形片４３ｂと、弾性変形片４３ｂの下端から前方に延びる折り返し部４３ｃとからなる。
弾性変形片４３ｂには、係止爪３９ｂが係合する係合突起４３ｄが形成されている。
弾性変形片４３ｂは、背面板４１を幕板１３の幕板本体１３ｂに押しつけた状態で、係止爪３９ｂが係合突起４３ｄに係合するような位置に形成されている。
【００３５】
このような係止部４３は、幕板１３の上端部１３ａに背面カバー部材３０を装着した状態で、背面板４１を幕板本体１３ｂに沿わせながら、係止爪３９ｂと幕板本体１３ｂとの隙間に下方から挿入する。すると、係止爪３９ｂの先端と弾性変係片４３ｂが当たり、その少なくとも一方が弾性変形して退避する。そして、係止爪３９ｂが係合突起４３ｄに係合すると、係止爪３９ｂ、弾性変形片４３ｂの弾性変形が元に復帰する。この状態で、係止部４３が背面カバー部材３０と幕板本体１３ｂとによって係止され、これによって配線トレー４０が保持される。
【００３６】
なお、前述したように、係止爪３９ｂと幕板本体１３ｂとの間隔が、爪部１３ｅと幕板本体１３ｂとの間隔と同一寸法とされている。このため、背面カバー３０を装着しない場合においても、係止部４３を幕板１３の爪部１３ｅに弾性変形片４３ｂを係止させることで、配線トレー４０を、幕板１３の上端部１３ａに直接係止させて保持することができる。
【００３７】
図４、図６に示すように、回転カバー受け部材５０は、前記の背面カバー部材３０に装着される台座部５１と、回転カバー６０を回転自在に軸支する軸支部５２と、を有する。この回転カバー受け部材５０は、幕板１３や背面カバー部材３０に対し、十分に小さな幅寸法に設定されている。
【００３８】
台座部５１は、背面カバー部材３０のベース部３１の上面３１ａに対向するベース部５１ａと、ベース部５１ａの前端からベース部３１の前面３１ｂに沿って垂下する垂下壁５１ｂと、垂下壁５１ｂの下端部に後方に向けて突出形成された係止爪５１ｃとを有する。一方、背面カバー部材３０のベース部３１の前面３１ｂには、係止爪５１ｃを係止させるため、下方に突出する係止突起３１ｆが形成されている。
【００３９】
図７（ａ）に示すように、ベース部５１ａの幅方向中央部に、前後方向に沿って一対のスリット５３ａ、５３ａが形成され、これらのスリット５３ａ、５３ａ間には、前方に向けて延びるレバー５３が形成されている。図７（ｂ）に示すように、レバー５３は、後端がベース部５１ａに一体的に連結されているとともに、前端が垂下壁５１ｂよりも前方へと突出しており、後端を基端として弾性変形することで前端を上下に首振り可能に設けられている。
また、レバー５３の下面には、係止突起５３ｂが形成されている。図４に示したように、この係止突起５３ｂが、背面カバー部材３０のベース部３１の上面３１ａの前端において上方に突出形成された係止爪３１ｇに係合する。
【００４０】
このような回転カバー受け部材５０は、ベース部５１ａ、垂下壁５１ｂを背面カバー部材３０のベース部３１の上面３１ａおよび前面３１ｂに突き当てた状態で、係止爪５１ｃと係止突起３１ｆ、係止突起５３ｂと係止爪３１ｇとをそれぞれ係合することにより、台座部５１が背面カバー部材３０に装着される。
このとき、背面カバー部材３０は、幕板１３の上端部１３ａが連続する方向において同一断面形状を有しているので、回転カバー受け部材５０は、背面カバー部材３０の長さ方向の任意の位置に装着できる。
【００４１】
また、レバー５３を押し上げて、係止突起５３ｂと係止爪３１ｇとの係合を解除し、さらに係止爪５１ｃと係止突起３１ｆの係合を解除することにより、回転カバー受け部材５０を背面カバー部材３０から取り外すことができる。
【００４２】
図８に示すように、回転カバー受け部材５０は、台座部５１の後端部から上方に延びる支持壁５４と、台座部５１上に、幕板１３の上端部１３ａが連続する方向に間隔を隔てた一対のリブ５５、５５と、これら支持壁５４、リブ５５上に設けられたガイド面５８を備える。
図４に示したように、支持壁５４には、背面カバー部材３０に装着した状態で、背面カバー部材３０の背面フレキシブルカバー部３３の上端部３３ａに突き当たる突き当たり面５４ａが形成されている。
図８に示したように、軸支部５２は、これら支持壁５４およびリブ５５、５５上に支持されて設けられている。
【００４３】
軸支部５２は、リブ５５、５５と平行な面内に位置する一対の側板５６、５６と、側板５６、５６の前端側においてこれら側板５６、５６を連結する連結板５７と、を備える。
【００４４】
側板５６、５６の内側面（側板５６、５６どうしが対向する側）には、内側に向けて突出するピボット軸５９、５９が設けられている。
【００４５】
また、連結板５７の上端部には、一対の凹部５７ａ、５７ａが形成されている。
【００４６】
回転カバー６０は、カバー本体６１と、前記の回転カバー受け部材５０に対し、回動自在に連結されるホルダー部材６２と、を備える。
【００４７】
図４に示したように、カバー本体６１は、天板１２の後端部１２ａの後方の空間Ｓを開閉自在に塞ぐもので、空間Ｓを閉塞した状態で上方に面し、天板１２の天面に連続した面を形成するカバー天面６１ａと、この状態で後方に面するカバー後面６１ｂと、を備える。カバー後面６１ｂは、デスク装置１０のなるべく後端に位置するよう形成するのが好ましい。
図９に示すように、カバー本体６１のカバー天面６１ａの前端には、下方（空間Ｓを閉塞した状態における下方）に延びる前壁６１ｃと、前壁６１ｃの下端から後方に延びる折り返し爪６１ｄ部と、が形成されている。
カバー後面６１ｂの下端には、前方に向けて延びる底壁６１ｅと、底壁６１ｅの前端から上方に延びる折り返し爪６１ｆと、が形成されている。
図１０に示すように、カバー本体６１には、その両端部に、カバー天面６１ａ、カバー後面６１ｂ、前壁６１ｃ、折り返し爪６１ｄ、底壁６１ｅ、折り返し爪６１ｆによって囲まれた部分を閉塞するエンドキャップ６８が嵌め込まれている。
【００４８】
図４、図９に示すように、カバー本体６１は、その前端部に、上部フレキシブルカバー６３を備える。
上部フレキシブルカバー６３は、カバー本体６１の前壁６１ｃおよび折り返し爪６１ｄに係合して保持されている。このため、上部フレキシブルカバー６３は、折り返し爪６１ｄを上下から挟み込む断面Ｕ字状のクランプ部６３ａと、折り返し爪６１ｄの上面側においてクランプ部６３ａの端部から上方に立ち上がるサポート壁６３ｂと、折り返し爪６１ｄの下面側において、クランプ部６３ａの端部から前方に突出するカバー部６３ｃと、を有する。
サポート壁６３ｂは、前壁６１ｃの裏面側に沿うとともに、折り返し爪６１ｄの上面とカバー天面６１ａの下面との間にはまりこむようになっている。クランプ部６３ａおよびサポート壁６３ｂにより、上部フレキシブルカバー６３がカバー本体６１の前端部に係合され、カバー部６３ｃの姿勢・形状が維持される。
【００４９】
上部フレキシブルカバー６３は、クランプ部６３ａおよびサポート壁６３ｂが、例えばＡＢＳ等の硬質樹脂により形成され、カバー部６３ｃが、クランプ部６３ａおよびサポート壁６３ｂよりも軟質な材料、例えば背面フレキシブルカバー部３３と同材料のＴＰＥポリスチレン系樹脂等で形成することができる。このような上部フレキシブルカバー６３は、硬質樹脂と軟質樹脂を用いて２色成形することで形成できる。
【００５０】
図４、図９に示すように、ホルダー部材６２は、カバー本体６１の下側に装着される。ホルダー部材６２は、カバー本体６１に装着された状態でカバー天面６１ａの下面に突き当たる天板部６５と、天板部６５の後端から下方に垂下する後壁部６６と、を有する。
天板部６５の前端部６５ａの下面には、下方に延びる前壁６７が形成されている。天板部６５の前端部６５ａは、前壁６７よりも前方に突出して形成されている。
図９に示すように、後壁部６６には、幅方向に間隔を隔てて、それぞれ後方に突出するガイドリブ６９、６９が形成されている。このガイドリブ６９、６９は、下方から上方に向けて、後壁部６６から後方への突出寸法が漸次大きくなる湾曲形状とされている。
後壁部６６において、ガイドリブ６９、６９の間には、一対のスリット７０、７０が形成され、これらスリット７０、７０間がレバー７１とされている。
レバー７１の後面側には、後方に突出する係合爪７２が形成されている。
【００５１】
一方、図１１に示すように、カバー本体６１の折り返し部６１ｆには、ガイドリブ６９、６９のピッチに応じた切り欠き７３、７３が形成されている。これら切り欠き７３、７３にガイドリブ６９、６９をかみ合わせることにより、デスク装置１０の幅方向におけるホルダー部材６２の位置を規定できる。
【００５２】
図４に示したように、このようなホルダー部材６２は、天板部６５の前端部６５ａを、カバー本体６１のカバー天面６１ａの下面と上部フレキシブルカバー６３のクランプ部６３ａとの間に挿入した状態で、ガイドリブ６９、６９を切り欠き７３、７３にかみ合わせた状態でレバー７１側を押し上げていき、レバー７１に形成された係合爪７２をカバー本体６１の折り返し部６１ｆに係合させる。これによって、ホルダー部材６２がカバー本体６１の内側に係合される。
【００５３】
さて、図４、図８に示すように、ホルダー部材６２の両側には、側壁６４、６４が形成されている。そして、側壁６４、６４の外側面には、ピボット軸５９が入り込むガイド溝７５、７５が形成されている。
これにより、ホルダー部材６２が、ピボット軸５９周りに回動動作する。すなわちこれにより、回転カバー６０が開閉し、空間Ｓの上方を開放したり閉塞したりできる。
そして、図１２に示すように、回転カバー６０を開いた状態で、空間Ｓの下方に位置する配線トレー４０に配線１００を収納する等の作業を、回転カバー６０と天板１２との隙間から手を入れて行うことができる。
また、図１に示したように、回転カバー６０を閉じた状態では、天板１２の後端部１２ａと、幕板１３の上方位置との隙間を回転カバー６０により塞ぐことができる。この状態においても、上部フレキシブルカバー６３が柔軟性の高い材料で形成されているため、上部フレキシブルカバー６３を弾性変形させることで、天板１２の上下で配線１００を通すことができる。またこの状態で、側壁６４、６４は、回転カバー受け部材５０の凹部５７ａ、５７ａに入り込んでいる。
【００５４】
図１３に示すように、カバー本体６１は、ピボット軸５９がガイド溝７５に入り込むことで、ガイド溝７５が、カバー本体６１を開閉動作させたときの、カバー本体６１の開閉動作軌跡を規制する。このガイド溝７５は、カバー本体６１を開閉動作させたときに、カバー後面６１ｂの上端側の角部Ｃ１が、デスク装置１０の後端位置から鉛直上方に立ち上がる仮想面Ｚに常に接触し、カバー後面６１ｂの下端側の角部Ｃ２が、回転カバー受け部材５０のガイド面５８に突き当たりながら回動するよう形成されている。
ここで、ガイド面５８は、いかなる形状としてもよく、図１３においては、ガイド面５８を、例えば、仮想面Ｚに直交する平面状とした場合を示している。すなわち、カバー後面６１ｂの下端側の角部Ｃ２が、仮想面Ｚに直交する仮想面Ｘに常に接触しながら回動させる場合について示している。
なお、本実施の形態において、ガイド溝７５は、略く字状をなしているが、これは、ピボット軸５９とカバー本体６１の角部Ｃ１、Ｃ２との位置関係により、その溝形状は異なる。
【００５５】
図１３、図１４、図１５に示すように、このようなガイド溝７５と、ピボット軸５９とにより、回転カバー６０は、回転動作のいかなる角度においても、幕板１３の鉛直上方の面よりも後方に飛び出ることがない。したがって、デスク装置１０を、他のデスク装置１０やパーティション等に突き当てて設置した場合においても、回転カバー６０の回転に支障が出ることはない。その結果、デスク装置１０を、他のデスク装置１０やパーティション等に押しつけて設置することが可能となる。
【００５６】
また、図１６に示すように、ガイド溝７５は、カバー本体６１を所定角度だけ引き起こした状態で、カバー本体６１およびホルダー部材６２を上方に引き上げたときに、ガイド溝７５、７５とピボット軸５９、５９との係合を解除できるよう、開放部７５ａが形成されている。
【００５７】
上述したように、背面カバー部材３０の背面フレキシブルカバー部３３により、幕板１３の上端部１３ａと回転カバー６０との隙間が閉塞されている。また、背面フレキシブルカバー部３３は、ベース部３１を形成する材料よりも軟質な材料により形成されているので、背面フレキシブルカバー部３３を弾性変形させることで、背面フレキシブルカバー部３３の上端部３３ａと回転カバー６０との間に形成される隙間を通して、配線１００を、幕板１３の前後方向に容易に通すことができる。このような背面カバー部材３０は、幕板１３の上端部１３ａに沿ってデスク装置１０の幅方向に沿って連続して設けられているため、幕板１３の上端部１３ａの任意の位置において配線１００を通すことができる。
これにより、幕板１３の内側に設けられた配線トレー４０に配線１００を収容することで、配線１００をデスク装置１０の外部から目につかないようにしつつ、必要に応じて、デスク装置１０の背面から外部に引き出すことができる。したがって、配線１００を天板１２の上方に引き出すことなくデスク装置１０の背面側に引き出すことができ、デスク装置１０をパーティションや壁に対向させて用いる場合や、他のデスク装置と向き合わせて使用する場合等に、シンプルに配線１００を取り回すことができる。このようにして、天板１２の体裁および使い勝手を良好な物とすることができる。デスク装置１０が設置される空間の美観を向上できる。
【００５８】
背面カバー部材３０は、幕板１３の上端部１３ａに係止するだけで取り付けることができるため、その構造も容易で組み立て作業性にも優れ、部品点数も抑えられることから、低コストで提供することが可能となる。
また、幕板１３やカバー本体６１も、非常に簡易な形状であり、これもまた低コストに寄与することができる。
【００５９】
背面カバー部材３０、配線トレー４０は、着脱が容易であり、取付の際もワンタッチで取り付けることができる。また、デスク装置１０の製品形態に応じて、適宜必要な部品を選択して取り付けることが可能であり、部品の汎用性を高めるとともに、システマティックな製品構成を低コストで実現することができる。
【００６０】
なお、上記実施の形態において、デスク装置１０の各部について詳細に説明したが、各部材の係止構造等については、他のいかなる構造を用いても良い。
また、上記実施形態では、回転カバー６０を備える構成としているが、もちろん、回転カバー６０の開閉構造を適宜他の構造とすることもできるし、さらには本発明において回転カバー６０は必須の構成ではない。
また、背面カバー部材３０を、幕板１３の全長にわたって設けるようにしたが、幕板１３の長さ方向の一部のみに配線カバー３０を用いても良い。
背面カバー部材３０は、幕板１３の上端部１３ａに形成された上部受け面１３ｃ、垂直面１３ｄと、爪部１３ｅからなる被係止部に係止する構成としたが、幕板１３の上端部１３ａに、引っかけるだけの構成とすることも可能である。
さらに、デスク装置１０に限らず、他の様々な什器に本発明は適用可能である。例えば、収納キャビネット等においても、キャビネット内に収容した配線１００を外部に取り出す部分において、本発明を適用することで上記と同様の効果を奏することができる。
これ以外にも、本発明の主旨を逸脱しない限り、上記実施の形態で挙げた構成を取捨選択したり、他の構成に適宜変更することが可能である。
【符号の説明】
【００６１】
１０  デスク装置
１１  支持体
１２  天板
１２ａ  後端部
１２ｂ  下面
１３  幕板（閉塞部材）
１３ａ  上端部
２０  配線収容部
３０  背面カバー部材（カバー部材）
３２  係止部
３３  背面フレキシブルカバー部（通線部）
３４  係止突起
３９ｂ  係止爪（配線収容部材被係止部）
４０  配線トレー（配線収容部材）
４１  背面板
５０  回転カバー受け部材
５４  支持壁
５９  ピボット軸
６０  回転カバー（他の部材、上方カバー部材）
６１  カバー本体
６２  ホルダー部材
６３  上部フレキシブルカバー
【図１】
0005537907.tif 000002
【図２】
0005537907.tif 000003
【図３】
0005537907.tif 000004
【図４】
0005537907.tif 000005
【図５】
0005537907.tif 000006
【図６】
0005537907.tif 000007
【図７】
0005537907.tif 000008
【図８】
0005537907.tif 000009
【図９】
0005537907.tif 000010
【図１０】
0005537907.tif 000011
【図１１】
0005537907.tif 000012
【図１２】
0005537907.tif 000013
【図１３】
0005537907.tif 000014
【図１４】
0005537907.tif 000015
【図１５】
0005537907.tif 000016
【図１６】
0005537907.tif 000017